(57)【特許請求の範囲】
【請求項１】
第１方向に延在する複数のサステイン電極対を有する前面板と、前記第１方向と交差する第２方向に延在する複数のアドレス電極を有する背面板とが対向しており、前記複数のサステイン電極対と前記複数のアドレス電極との交差するそれぞれの位置に設けられた複数の放電セルを有するプラズマディスプレイパネルであって、
前記放電セルは、前記前面板とそれに対向する前記背面板との間であって前記背面板に設けられたボックス型の隔壁によって囲まれた放電空間と、前記放電空間を充填する放電ガスと、前記放電空間に接するように前記背面板に設けられた蛍光体層とを有しており、
平面視において前記放電空間を横切るように前記第１方向に延在する前記サステイン電極対は、前記第１方向に延在する透明電極と、前記透明電極より幅が狭く、前記第１方向に延在するバス電極とが、重なって構成されており、
前記サステイン電極対の両電極とも、前記透明電極の前記第１方向の中心軸より前記バス電極の前記第１方向の中心軸が、前記アドレス電極の一端側にあり、
前記サステイン電極対を構成する前記バス電極のうち、前記アドレス電極の一端側に配置される前記バス電極の前記第２方向の幅が、前記アドレス電極の他端側に配置される前記バス電極の前記第２方向の幅より大きいことを特徴とするプラズマディスプレイパネル。
【請求項２】
第１方向に延在する複数のサステイン電極対を有する前面板と、前記第１方向と交差する第２方向に延在する複数のアドレス電極を有する背面板とが対向しており、前記複数のサステイン電極対と前記複数のアドレス電極との交差するそれぞれの位置に設けられた複数の放電セルを有するプラズマディスプレイパネルを備え、
前記放電セルは、前記前面板とそれに対向する前記背面板との間であって前記背面板に設けられたボックス型の隔壁によって囲まれた放電空間と、前記放電空間を充填する放電ガスと、前記放電空間に接するように前記背面板に設けられた蛍光体層とを有しており、
平面視において前記放電空間を横切るように前記第１方向に延在する前記サステイン電極対は、前記第１方向に延在する透明電極と、前記透明電極より幅が狭く、前記第１方向に延在するバス電極とが、重なって構成されており、
前記サステイン電極対の両電極とも、前記透明電極の前記第１方向の中心軸より前記バス電極の前記第１方向の中心軸が、前記アドレス電極の一端側にあり、
前記サステイン電極対を構成する前記バス電極のうち、前記アドレス電極の一端側に配置される前記バス電極の前記第２方向の幅が、前記アドレス電極の他端側に配置される前記バス電極の前記第２方向の幅より大きいことを特徴とするプラズマディスプレイ装置。
【発明の詳細な説明】
【技術分野】
【０００１】
本発明は、平面型テレビなどに用いられるプラズマディスプレイパネル（以下、「プラズマパネル」ともいう）及びそれを用いたプラズマディスプレイ装置（以下、「プラズマディスプレイ」ともいう）に関し、特に、ボックス型の隔壁（リブ）で構成される放電セルを備えたプラズマパネルおよびそれを用いたプラズマディスプレイに関する。
【背景技術】
【０００２】
プラズマディスプレイは、薄型平面ディスプレイとして、画質向上のため高輝度化、高コントラスト化が進んでいる。薄型平面ディスプレイとして市場を分ける液晶ディスプレイに比較し、プラズマディスプレイは、輝度でほぼ同等、暗所コントラストにおいては優位性がある。しかしながら、リビングなどの明るい部屋での画質に重要な明所コントラストにおいて、液晶ディスプレイは偏光フィルタがあり、またカラーフィルタを採用しているので外光の反射は非常に小さく、コントラストの劣化は小さい。このため、プラズマディスプレイは外光の反射が大きいため明所でのコントラストの劣化が大きく、明室での画質で、液晶ディスプレイに劣っている。
【０００３】
特開２００３−１００２２２号公報（特許文献１）には、プラズマディスプレイパネルの外部から放電セルに入射した外光が放電セル内で反射された反射光を、パネルの垂直方向から見たとき、その反射光の強度が高い領域に遮光体を設ける技術が開示されている。
【特許文献１】特開２００３−１００２２２号公報
【発明の開示】
【発明が解決しようとする課題】
【０００４】
画質向上のため、明所コントラストの向上が必要である。明所コントラストを向上するためには、輝度の向上と、外光の反射を小さくすることの２つの方法がある。
【０００５】
輝度向上のためには、２つの方法がある。１つは投入電力を大きくする方法であるが、これは消費電力の大幅な増大を招いてしまう。２つめとして発光効率を向上する方法もあるが、パネル内の封入ガスによる電力と紫外線の変換効率、また蛍光体による紫外線と可視光の変換効率を大幅に向上することは難しい。
【０００６】
このため、輝度の向上は非常に困難であり、外光の反射を小さくすることが有効であると考えられる。外光反射を小さくするには、プラズマパネル前面にあるフィルタの透過率を小さくする方法がある。しかし、これはプラズマパネルから放出する光も小さくなり輝度が劣化してしまうという問題がある。
【０００７】
そこで、フィルタの透過率に因らないでプラズマパネルの外光反射を小さくすることが必要となる。
【０００８】
本発明の目的は、プラズマディスプレイにおける明所コントラストの向上を図ることにある。
【０００９】
本発明の前記ならびにその他の目的と新規な特徴は、本明細書の記述および添付図面から明らかになるであろう。
【課題を解決するための手段】
【００１０】
本願において開示される発明のうち、代表的なものの概要を簡単に説明すれば、次のとおりである。
【００１１】
本発明の一実施の形態では、プラズマパネルを構成する放電セルは、前面板とそれに対向する背面板との間であって前記背面板に設けられたボックス型の隔壁によって囲まれた放電空間と、前記放電空間を充填する放電ガスと、前記放電空間に接するように前記背面板に設けられた蛍光体層とを有している。平面視において前記放電空間を横切るように第１方向に延在するサステイン電極対は、透明電極と、前記透明電極より幅が狭いバス電極とが重なって構成されている。前記サステイン電極対の両電極とも、前記第１方向と交差する第２方向において前記透明電極の中心軸より前記バス電極の中心軸が、前記第２方向に延在するアドレス電極の一端側にある。
【発明の効果】
【００１２】
本願において開示される発明のうち、代表的なものによって得られる効果を簡単に説明すれば以下のとおりである。
【００１３】
この一実施の形態によれば、プラズマディスプレイにおける明所コントラストの向上を図ることができる。
【発明を実施するための最良の形態】
【００１４】
以下、本発明の実施の形態を図面に基づいて詳細に説明する。なお、実施の形態を説明するための全図において、同一の機能を有する部材には同一の符号を付し、その繰り返しの説明は省略する場合がある。また、以下の実施の形態を説明する図面においては、構成を分かり易くするために平面図であってもハッチングを付す場合がある。
【００１５】
本願において「前面板」と「背面板」は、両者を組み立ててパネル化した際に、放電空間からの蛍光体による発光光を通過して表示面となる方を前面板、表示面とならない方を背面板とする。
【００１６】
一般に、プラズマパネルおよびプラズマディスプレイを使用するのは照明が天井に設置された屋内であり、パネル面が床から垂直方向と並行となるように設置され、観測者はプラズマパネルの表示を水平方向で見ることになる。このため、本願においてプラズマパネルの「上端」は天井側にあり、プラズマパネルの「下端」は床側にある。
【００１７】
（実施の形態１）
図１は本実施の形態におけるプラズマパネルＰＤＰ１の要部を模式的に示す斜視図であり、構造を分かり易くするため前面板を背面板から離して図示している。図２は図１のプラズマパネルＰＤＰ１を模式的に示す平面図であり、一部を省略して図示している。図３は図１のプラズマパネルＰＤＰ１を模式的に示す断面図であり、図２のＸ−Ｘ’における断面を図示している。また、図中にはプラズマパネルＰＤＰ１の平面を示す横方向ａ、縦方向ｂ、およびプラズマパネルＰＤＰ１の厚さ方向ｃが示されている。なお、パネル面は床から縦方向ｂ（垂直方向）に設置され、観測者はプラズマパネルＰＤＰ１の表示を厚さ方向ｃ（水平方向）で見ることとなる。
【００１８】
本実施の形態におけるプラズマパネルＰＤＰ１は、横方向ａに延在する複数のサステイン電極対１６を有する前面板と、横方向ａと交差する縦方向ｂに延在する複数のアドレス電極９を有する背面板とが対向しており、複数のサステイン電極対１６と複数のアドレス電極９との交差するそれぞれの位置に設けられた複数の放電セルＣＬを有している。
【００１９】
プラズマパネルＰＤＰ１を構成する前面板は、前面基板１と、前面基板１上に設けられ、バス電極２および透明電極３から構成されるサステイン電極１６Ａ、１６Ｂと、サステイン電極１６Ａ、１６Ｂを覆う誘電体層４と、誘電体層４上に設けられ、紫外線照射によりプライミング粒子を放出する保護膜５とを有している。なお、サステイン電極対１６はサステイン電極１６Ａとサステイン電極１６Ｂとから構成されている。
【００２０】
前面基板１は例えば所定の透過率を有するガラス基板から構成される。また、透明電極３は透明な導電体である例えば酸化インジウムスズ（ＩＴＯ）膜から構成される。また、バス電極２は非透明な導電体である例えば銀（Ａｇ）単層膜から構成され、透明電極３の縦方向ｂの幅より狭い幅で付設されている。なお、透明電極３として酸化スズや酸化亜鉛、バス電極２としてアルミニウム単層膜、またはクロム／銅／クロム積層膜で構成しても良い。
【００２１】
また、誘電体層４は可視光透過性と紫外線透過性がある誘電体ガラス膜から構成される。保護膜５はプラズマ損傷の耐性が強いＭｇＯ（酸化マグネシウム）を含む金属酸化物材料により構成される。なお、保護膜５は紫外線照射によりプライミング粒子となる電子を放出するため、不純物や欠陥に起因した準位をバンドギャップに持つことが好ましい。
【００２２】
また、プラズマパネルＰＤＰ１を構成する背面板は、背面基板６と、背面基板６上に設けられたアドレス電極９と、アドレス電極９を覆う誘電体層８と、誘電体層８上に設けられたボックス型の隔壁７と、放電空間１５に接するように誘電体層８上に設けられた蛍光体層１０とを有している。
【００２３】
背面基板６は例えば所定の透過率を有するガラス基板から構成される。また、アドレス電極９は例えばアルミニウム単層膜、またはクロム／銅／クロム積層膜から構成される。誘電体層８は紫外線透過性の高い誘電体ガラス膜で形成され、隔壁７は紫外線を透過しないガラス材料で形成される。蛍光体層１０は赤色が（Ｙ，Ｇｄ）ＢＯ４：Ｅｕ２+、青色がＢａＭｇＡｌ１０Ｏ１７：Ｅｕ２＋、緑色がＺｎ２ＳｉＯ４：Ｍｎ２＋の蛍光体から構成される。また、隔壁７は例えばサンドブラスト法によって形成され、具体的には、誘電体層８（背面基板６）上にガラス材料をペーストした後、マスクを用いてアルミナなどの研磨材を高圧で吹き付けて形成され、図３に示すように断面が順テーパ状となっている。
【００２４】
このような構造では、１つの放電セルＣＬは、前面板とそれに対向する背面板との間であって背面板に設けられたボックス型の隔壁７によって囲まれた放電空間１５と、放電空間１５を充填する放電ガスと、赤（Ｒ）、緑（Ｇ）、青（Ｂ）の各色に発光する蛍光体から構成される蛍光体層１０とを有している。放電空間１５には、放電ガスとして例えばネオン（Ｎｅ）−キセノン（Ｘｅ）をガス基体とした混合ガスが所定の圧力及び分圧で封入されている。なお、前面板と背面板は放電セルＣＬのない領域（非表示領域）で封着剤により封着されている。
【００２５】
プラズマパネルＰＤＰ１の構成を概略すると、前面基板１上にサステイン電極１６Ａを構成するバス電極２と透明電極３、誘電体層４および、保護膜５が順に配置されている。一方、背面基板６上にアドレス電極９およびそれを覆うように誘電体層８が配置されている。また、誘電体層８上に各放電セルＣＬを囲むように隔壁７および隣接する隔壁７間の蛍光体層１０が配置されている。この前面基板１と背面基板６とを対向して張り合わせることで、放電空間１５が前面板と背面板との間に形成され、プラズマパネルＰＤＰ１が構成されている。
【００２６】
また、プラズマパネルＰＤＰ１では、図２に示すように、平面視において放電空間１５を横切るように横方向ａに延在するサステイン電極１６Ａは、横方向ａに延在する透明電極３と、透明電極３より幅が狭く、横方向ａに延在するバス電極２とが、重なって構成されており、サステイン電極１６Ａおよびサステイン電極１６Ｂの両電極とも、バス電極２がアドレス電極９の一端側（図の下側、Ｘ’側）に設けられている。
【００２７】
このプラズマパネルＰＤＰ１での画像表示は、放電セルＣＬごとに放電空間１５内で放電を発生させ、それを放電空間１５に充満した放電ガス（希ガス）により紫外線に変換し、さらにその紫外線を蛍光体層１０の蛍光体によって可視光に変換することで行う。画像を表示するために２つの放電があり、各放電セルＣＬの発光のＯＮとＯＦＦを決定するアドレス放電と各放電セルＣＬの明るさを決定するサステイン放電がある。このサステイン放電では、各放電セルＣＬ内に上下に配置された２つのサステイン電極１６Ａとサステイン電極１６Ｂ（すなわちサステイン電極対１６）が交互に陽極と陰極になるように電圧を供給し、放電を持続させる。
【００２８】
ここで、本実施の形態で示すプラズマパネルＰＤＰ１を構成するにあたり検討した事項について説明する。図４は本発明者らが検討したプラズマパネルＰＤＰ０を模式的に示す平面図であり、一部を省略して図示している。図５は本発明者らが検討したプラズマパネルＰＤＰ０を模式的に示す断面図であり、図４のＸ−Ｘ’における断面を図示している。図６は外光照射による蛍光体層１０からの反射強度を示す分布図である。
【００２９】
図４、図５に示すように、サステイン電極１６Ａとサステイン電極１６Ｂは、互いに陰極と陽極が交互に入れ替わるため、放電セルＣＬ内で横方向ａの中心軸１１に対し軸対称になるように配置している。このため、サステイン電極１６Ａ、１６Ｂを構成するバス電極２と透明電極３も放電セルＣＬの横方向ａの中心軸１１に対し軸対称に配置されている。
【００３０】
また、サステイン放電は、陰極が例えばサステイン電極１６Ａの場合、そのサステイン電極１６Ｂ側で発生するため、放電セルＣＬの横方向ａの中心軸１１に近い側に透明電極３、遠い側にバス電極２を配置している。そのため、上端側バス電極２Ａの横方向ａの中心軸１２Ａは上端側透明電極３Ａの横方向ａの中心軸１３Ａに対し上端（Ｘ）側に、また下端側バス電極２Ｂの横方向ａの中心軸１２Ｂは下端側透明電極３Ｂの横方向ａの中心軸１３Ｂに対し、下端（Ｘ’）側に配置されている。
【００３１】
また、明所コントラストを向上させるために、外光の反射を小さくする必要がある。外光は、前面基板１を通過し、背面基板６の隔壁７とこの隔壁７に囲まれるように設けられた蛍光体層１０で反射し、再び前面基板１を通過して放出される。この背面基板６の反射に関し、隔壁７に対し蛍光体層１０の方が、面積が大きく反射率も高いので、この外光の反射光において蛍光体層１０での反射光の寄与が大きい。また、バス電極２も反射率、透過率ともに非常に小さく、光を遮光する。
【００３２】
一般的にプラズマディスプレイを使用するのは屋内であり、パネル面を垂直になるように設置され、観測者はパネルを水平方向でみる。さらに、屋内では照明は天井に設置されているため、JEITAのEIAJ ED-2710A（カラープラズマディスプレイモジュール測定方法）で推奨される外光反射の測定でもあるように、プラズマパネルに入射する外光は、観測者がパネルを見る水平方向に対し４５度以上の角度から入射する。
【００３３】
外光反射を抑える方法として特開２００３−１００２２２号公報（特許文献１）に記載の技術がある。この技術は、水平方向（横方向）のセルを垂直方向（縦方向）に伸びた隔壁により分離する構造、すなわちストライプ型の隔壁で構成された放電セルに関するものである。このためセルの垂直方向に隔壁が設けられていないので、外光反射の強度は遮光層と遮光層の垂直方向の中心が最大であると記述されている。このため、サステイン電極対と隣り合うサステイン電極対の間に水平方向に伸びた遮光層を設け、サステイン電極対において、透明電極内のバス電極をその遮光層と遮光層の垂直方向の中心に近いところに配置するというものである。
【００３４】
前記特許文献１と相違する点について説明する。本実施の形態では隔壁７の構造はストライプ型ではなく、蛍光体層１０の表面積を大きくでき、外光を抑えられる構造として、放電セルＣＬの周囲を隔壁７で囲んだ構造、すなわちボックス型である。外光照射による蛍光体層１０からの反射強度は、ボックス型とストライプ型とでは異なるものと考えられる。
【００３５】
図６は外光照射による蛍光体層からの反射強度を示す分布図であり、ボックス型とストライプ型を比較して示している。なお、ボックス型での測定について図３を参照して説明すると、外光１４を、前面板がない状態、すなわち前面基板１、バス電極２、透明電極３、誘電体層４、保護膜５がない状態で、横方向ａから上端側に４５度の角度で照射して行うものである。また、ストライプ型での測定は、ボックス型の測定条件において、図３に示す隔壁７がない状態で行うものである。
【００３６】
図６に示すように、ボックス型では、放電セルＣＬの上端側が、囲みＣ１まで非常に強度が小さく、下端側に行くに従い大きくなり、さらに囲みＣ２から大きくなっていることがわかる。これは図３で示すように、囲みＣ１までは外光１４が上端側の隔壁７によって蛍光体層１０に照射されず、また囲みＣ２からは外光１４が下端側の隔壁７によって蛍光体層１０からの照射量が増加するものと考えられる。このボックス型に対し、水平方向のセルを垂直方向に伸びた隔壁により分離する構造、すなわちストライプ型での外光反射の強度分布とは大きく異なっている。
【００３７】
図３に示す本実施の形態におけるＰＤＰ１に対しても、外光１４を４５度以上の角度で上端側からセルに入射した場合、前面基板１を通過した光がセル内の蛍光体層１０で拡散反射し、再度前面基板１を通過し、バス電極２に遮光されなかった光が、外光の反射光として観測される。しかし、外光１４が４５度以上の角度で上側からセルに入射されるため、上端側のセル内では、横方向ａに設けられた隔壁７の陰になり、光が蛍光体層１０に到達しない。そのため、外光反射は観測者から見て、セル上部が非常に暗くなる。
【００３８】
本発明者らが検討したＰＤＰ０の構造では、上端側バス電極２Ａはで放電セルＣＬの横方向ａの中心軸１１から遠い側である上端側に配置されている。このため、下端側バス電極２Ｂは蛍光体層１０で反射した外光を遮光するが、上端側バス電極２Ａは、隔壁７の陰になり外光の蛍光体層１０による反射が無い位置にあるため、蛍光膜で反射した外光を遮光することに寄与しないものと考えられる。
【００３９】
そこで、本実施の形態におけるＰＤＰ１では、上端側に設けられたサステイン電極１６Ａにおいて、上端側バス電極２Ａの横方向ａの中心軸１２Ａが上端側透明電極３Ａの横方向ａの中心軸１３Ａより下側に位置する構造とし、さらに下端側バス電極２Ｂについても、下端側バス電極２Ｂの横方向ａの中心軸１２Ｂが下端側透明電極３Ｂの横方向ａの中心軸１３Ｂより下側に位置する構造としているのである。
【００４０】
また、図３に示すように、上端側バス電極２Ａを外光１４の蛍光体層１０による反射がある位置に設けることができる。そのため、本発明者らが検討したプラズマパネルＰＤＰ０の構造では、蛍光体層１０で反射した外光１４を遮光することに寄与しない上端側バス電極２Ａが、本実施の形態に示す構造にすることで、蛍光体層１０で反射した外光を遮光することができる。さらに、下端側バス電極２Ｂも、外光１４の反射光の強度が一番大きい場所に配置することで、外光反射の量を減少させることができる。したがって、本実施の形態で示した構造を用いることで、パネル全体で見たときに、外光１４がパネルで反射する光の量を小さくすることができる。
【００４１】
また、本実施の形態で示す構造では、サステイン放電の強さを決めるセル内のサステイン電極対１６の面積に変化は無い。さらにセル内のサステイン放電による蛍光体の発光強度も隔壁７近傍部以外はほぼ一様なため、バス電極２の位置が異なることによる蛍光体発光の遮光量も変化は無い。そのため、画像の輝度を決定するサステイン放電によるセルの発光については、プラズマパネルＰＤＰ１の構造としても、プラズマパネルＰＤＰ０の構造と同等の発光量になり、画面の輝度劣化はない。
【００４２】
このように、本実施の形態で示す構造にすることにより、外光１４の反射を低減でき、輝度の変化は無いため、明所コントラストを向上することができ、画質の向上を可能とする。
【００４３】
具体的には、本実施の形態におけるプラズマパネルＰＤＰ１において、各セルを隔壁７に囲まれた構造にし、その中に一対のサステイン電極を５０から２００μｍの間隔を設けて配置する。各サステイン電極１６Ａ、サステイン電極１６Ｂを構成する透明電極３の縦方向ｂの幅を５０から２５０μｍとし、その範囲内の領域に３０から１５０μｍの幅のバス電極２を設ける。このとき、一対のサステイン電極において、バス電極２の横方向ａの中心軸１２Ａ、１２Ｂがサステイン電極１６Ａ、１６Ｂの横方向ｂの中心軸、または透明電極３Ａ、３Ｂの横方向ａの中心軸１３Ａ、１３Ｂより下端側になるように配置する。この構造にすることで、外光１４の反射率を小さくすることができる。また、輝度に変化は無いので、明所コントラストを向上でき、画質を向上することができる。
【００４４】
（実施の形態２）
本実施の形態では、前記実施の形態１におけるプラズマパネルに対して、さらに画面輝度変化を生じず、外光の反射を低減できる構造のプラズマパネルについて説明する。図７は本実施の形態におけるプラズマパネルＰＤＰ２の要部を模式的に示す平面図である。
【００４５】
プラズマパネルＰＤＰ１（図２参照）では、セル内に配置される２本のバス電極２Ａ、２Ｂの幅は、同一の幅Ｗｂｃである。それに対して、本実施の形態におけるプラズマパネルＰＤＰ２では、放電セルＣＬの縦方向ｂの中心より下端側に配置される下端側バス電極２Ｂの幅Ｗｂｄが、放電セルＣＬの縦方向ｂの中心より上端側に配置される上端側バス電極２Ａの幅Ｗｂｕより大きくする。
【００４６】
このように外光１４の反射光の強度が一番大きい場所に配置するバス電極の幅を大きくすることで、パネル全体で見たときに、外光１４がパネルで反射する光の量を小さくすることができる。このとき、セル内からの発光を前記実施の形態１におけるプラズマパネルＰＤＰ１と一定にするためには、外光１４の反射光の強度が小さい場所に配置するバス電極２Ａの幅を小さくする必要がある。すなわち、前記実施の形態１のプラズマパネルＰＤＰ１のバス電極幅Ｗｂｃと、本実施の形態のプラズマパネルＰＤＰ２でのバス電極幅Ｗｂｕ、Ｗｂｄの関係を２Ｗｂｃ＝Ｗｂｕ＋Ｗｂｄと設計することで、サステイン放電によるセル発光量を、前記実施の形態１のプラズマパネルＰＤＰ１より低下させることなく、外光１４の反射のみを大幅に低減できる。
【００４７】
（実施の形態３）
本実施の形態では、前記実施の形態１で示したプラズマパネルを用いたプラズマディスプレイについて説明する。なお、前記実施の形態２で示したプラズマパネルを用いた場合も同様であるので、それを用いたプラズマディスプレイについての説明は省略する。
【００４８】
図８は、本実施の形態における面放電交流駆動型のプラズマディスプレイ１００の構成を示す説明図である。プラズマディスプレイ１００は、アドレス電極９、サステイン電極１６Ｂ（スキャン電極）、サステイン電極１６Ａを有するプラズマパネルＰＤＰ１と、アドレス電極９を駆動するためのアドレス駆動回路１０１と、サステイン電極１６Ｂ（スキャン電極）を駆動するためのスキャンパルス出力回路１０２と、サステイン電極１６Ａを駆動するためのサステインパルス出力回路１０３と、これらの出力回路を制御する駆動制御回路１０４と、入力信号の処理を行う信号処理回路１０５とを備えている。また、プラズマディスプレイ１００は、プラズマパネルＰＤＰ１などに電圧を印加する駆動電源１０６と映像信号を生成する映像源１０７を備えている。
【００４９】
プラズマディスプレイ１００は、プラズマパネルＰＤＰ１の電極とフレキシブル基板とを異方性導電フィルムによって接合する。その後、プラズマパネルＰＤＰ１の放熱性を良くするために例えばアルミニウムなどの板が取り付けられ、この板の上に、駆動電源１０６やアドレス駆動回路１０１などの駆動回路が組み込まれ、プラズマディスプレイモジュールが完成する。その後、さらに検査などを行い、外装ケースを取り付けることによって、プラズマディスプレイ１００が完成する。
【００５０】
図１〜図３で示したように、プラズマパネルＰＤＰ１は、対向する一方の背面板にアドレス電極９を設け、他方の前面板にサステイン電極対１６を設けるようになっている。そして、これら前面板と背面板に挟まれた放電空間１５が隔壁７によって区画され、その区画された各々の放電空間１５をそれぞれ放電セルＣＬが有している。放電セルＣＬには、例えば、Ｎｅ＋Ｘｅのような混合ガスが封入されており、サステイン電極対１６に電圧を加えると、放電が起こり、紫外線が発生する。また、各々の放電セルＣＬには、赤、緑および青のいずれかに発光する蛍光体が塗布されており、前述のように発生した紫外線により、この蛍光体が励起してこの蛍光体に応じた色光を発光させる。この発光を利用し、映像信号に応じて所望の色の放電セルを選択することにより、カラー画像表示を行うことができる。
【００５１】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００５２】
例えば、前記実施の形態では、面放電型のプラズマパネルに適用した場合について説明したが、対向放電型のプラズマパネルにも適用することができる。
【産業上の利用可能性】
【００５３】
本発明は、プラズマ放電を利用したフラットパネルディスプレイ、特に、プラズマパネルおよびそれを用いたプラズマディスプレイの製造業に幅広く利用されるものである。
【図面の簡単な説明】
【００５４】
【図１】本発明の一実施の形態におけるプラズマパネルの要部を模式的に示す斜視図である。
【図２】図１のプラズマパネルを模式的に示す平面図である。
【図３】図１のプラズマパネルを模式的に示す断面図である。
【図４】本発明者らが検討したプラズマパネルを模式的に示す平面図である。
【図５】本発明者らが検討したプラズマパネルを模式的に示す断面図である。
【図６】外光照射による蛍光体層からの反射強度を示す分布図である。
【図７】本発明の他の実施の形態におけるプラズマパネルの要部を模式的に示す平面図である。
【図８】本発明の一実施の形態におけるプラズマディスプレイの構成を示す図である。
【符号の説明】
【００５５】
１      前面基板
２      バス電極
２Ａ    上端側バス電極
２Ｂ    下端側バス電極
３      透明電極
３Ａ    上端側透明電極
３Ｂ    下端側透明電極
４      誘電体層
５      保護膜
６      背面基板
７      隔壁
８      誘電体層
９      アドレス電極
１０    蛍光体層
１１    中心軸
１２Ａ、１２Ｂ  中心軸
１３Ａ、１３Ｂ  中心軸
１４    外光
１５    放電空間
１６    サステイン電極対
１６Ａ  サステイン電極
１６Ｂ  サステイン電極
１００  プラズマディスプレイ
１０１  アドレス駆動回路
１０２  スキャンパルス出力回路
１０３  サステインパルス出力回路
１０４  駆動制御回路
１０５  信号処理回路
１０６  駆動電源
１０７  映像源
ＣＬ    放電セル
ＰＤＰ０、ＰＤＰ１、ＰＤＰ２  プラズマパネル
【図１】
0005028318.tif 000002
【図２】
0005028318.tif 000003
【図３】
0005028318.tif 000004
【図４】
0005028318.tif 000005
【図５】
0005028318.tif 000006
【図６】
0005028318.tif 000007
【図７】
0005028318.tif 000008
【図８】
0005028318.tif 000009